(57)【要約】【課題】３本の第１脚（４２）を含む第１の塔セクション（４０）を組み立てることを含む、塔により定められる長手方向軸（３０）にそった長さを有する塔（１０）を建設する方法を提供すること。【解決手段】それぞれの第１脚は、第１脚の長さにそった長手方向軸から分岐する。第２の塔セクション（７０）が組み立てられる。第２の塔セクションは、それぞれ長手方向軸に実質的に並行に延びる３本の第２脚（７２）を備える。３本の第２脚は、少なくとも部分的に、第２の塔セクションを通る通路（８８）を形成する。第２の塔セクションは、第１の塔セクションに結合される。【選択図】図１
2007107515.tif 000002
【特許請求の範囲】
【請求項１】
風力タービンアセンブリ（１２）用の塔（１０）であって、
前記塔の長手に沿って定められる長手方向軸（３０）と、
３本の第１脚（４２）を含む第１の塔セクション（４０）であって、前記３本の第１脚の各第１脚は該第１脚の長手に沿って前記長手方向軸から分岐し、少なくとも１つの支持部材が前記３本の第１脚の隣接する第１脚を結ぶ、第１の塔セクション（４０）と、
前記第１の塔セクションに結合された第２の塔セクション（７０）であって、前記第２の塔セクションは３本の第２脚（７２）を含み、前記３本の第２脚の各第２脚は前記長手方向軸とほぼ並行に延びる、第２の塔セクション（７０）と、
前記第２の塔セクションを貫いて形成された通路（８８）と、を備える塔（１０）。
【請求項２】
前記３本の第２脚（７２）の隣接する第２脚を結合する少なくとも１つの支持部材を更に含み、それぞれの隣接する第２脚は前記少なくとも１つの支持部材内に形成される対応するアパーチャ（９６）内に位置することが可能なタブ（９４）を備える請求項１記載の塔（１０）。
【請求項３】
前記第１の塔セクション（４０）は、第１の塔の第１のサブセクション（５６）および第１の塔の第２のサブセクション（５８）を含み、前記第１の塔の第２のサブセクションの上部（４４）は前記第１の塔の第１のサブセクションの底部（４６）に結合され、前記第１の塔の第２のサブセクションは３本の第１脚（４２）を備え、前記３本の第１脚のそれぞれの第１脚は前記第１の塔の第１のサブセクションの対応する第１脚と直線的に並ぶように整列された請求項１記載の塔（１０）。
【請求項４】
前記第１の塔の第１のサブセクション（５６）のそれぞれの第１脚（４２）および前記第１の塔の第２のサブセクション（５８）の対応する第１脚を結合するフランジ（６２）を更に備える請求項３記載の塔（１０）。
【請求項５】
前記第２の塔セクション（７０）は、第２の塔の第１のサブセクション（７５）および第２の塔の第２のサブセクション（７６）を含み、前記第２の塔の第１のサブセクションの上部（８２）は前記第２の塔の第２のサブセクションの底部（８４）に結合され、前記第２の塔の第２のサブセクションは３本の第２脚（７２）を備え、前記３本の第２脚のそれぞれの第２脚は前記第２の塔の第１のサブセクションの対応する第２脚と直線的に並ぶように整列される請求項１記載の塔（１０）。
【請求項６】
前記第２の塔の第１のサブセクション（７５）のそれぞれの第２脚（７２）および前記第２の塔の第２のサブセクション（７６）の対応する第２脚を結合するフランジ（９７）を更に備える請求項５記載の塔（１０）。
【請求項７】
前記第２の塔セクション（７０）の上部（８２）に据え付けられたトランジションピース（９８）を更に含む請求項１記載の塔（１０）。
【請求項８】
複数の剪断パネル（８６）を更に備え、
前記複数の剪断パネルのそれぞれの剪断パネルが隣接する第２脚（７２）の間に接続され、前記通路（８８）を部分的に形成する請求項１記載の塔（１０）。
【請求項９】
風力タービンアセンブリ（１２）であって、
塔（１０）であって、前記塔により定められる長手方向軸（３０）にそった長さを有し、
３本の脚（４２）を含む下側の塔セクション（４０）であって、前記３本の脚のそれぞれの脚は前記下側の塔セクションの長さに沿って前記長手方向軸から分岐し、少なくとも１つの支持部材は前記３本の脚の隣接する脚を結合する、下側の塔セクション（４０）と、
前記下側の塔セクションに結合され、３本の脚（７２）を含み、前記３本の脚のそれぞれの脚が前記長手方向軸に実質的に並行に延びる、上側の塔セクション（７０）と、
前記上側の塔セクションを通じて定められ、前記長さに沿って少なくとも部分的に延びる、前記風力タービンアセンブリにアクセスできるようにする通路（８８）と、
前記上側の塔セクションに結合されたトランジションピース（９８）と、
前記トランジションピースに据え付けられた発電機（１８）と、
前記発電機に動作可能なように結合された回転式ハブ（２８）と、
前記ハブに据え付けられた複数の動翼（２６）とを含む塔（１０）を備える風力タービンアセンブリ（１２）。
【請求項１０】
前記通路（８８）は、電線と、前記発電機（１８）をユーティリティグリッドに動作可能なように結合する風力タービンアセンブリコンポーネントとの少なくとも一方を収納する請求項９記載の風力タービンアセンブリ（１２）。
【発明の詳細な説明】
【技術分野】
【０００１】
本発明は、一般に、風力タービンアセンブリに関するものであり、より具体的には、風力タービンアセンブリを支持するための塔に関するものである。
【背景技術】
【０００２】
近年、風力発電機は、環境面に関して安全で、比較的安価な代替えエネルギー源として大きな注目を集めている。このように関心が高まるとともに、信頼性が高く、効率のよい風力発電機を開発する相当な努力が払われてきた。
【０００３】
一般に、風力発電機は、複数のブレードを有するロータを備える。ロータは、トラス塔または円筒塔の上に配置された、筐体またはナセル上に据え付けられる。ユーティリティグレードの風力発電機（つまり、電力をユーティリティグリッドに供給するように設計された風力発電機）は、大型のロータ（例えば、直径３０メートル以上）を備えることができる。これらのロータ上のブレードは、風力エネルギーを、ロータに回転するように結合された１つまたは複数の発電機を駆動する回転トルクまたは力に変える。
【０００４】
多くの従来の風力タービンアセンブリは、一般に「モノポール」と呼ばれる単一の円筒構造から形成される塔を含む。従来のモノポールは、当業では、塔構造物と望ましくない接触を行うことなく動翼が自由に回転できる十分なクリアランスを設けるために使用されている。さらに、このようなモノポールは、風力エネルギーのハーネシングを容易にできる十分な高さを持つ必要がある。そのため、従来のモノポールは、風力タービンアセンブリに関連する重量物および／または力を支持できる十分な厚さおよび／または十分な直径を有する、鋼鉄などの重い材料から特注で作られる。この特注製造は、製造に何時間もかかり、大量の材料を必要とする。
【０００５】
さらに、モノポールは、例えば路面から約４３００ｍｍ（約１４フィート又は１６８インチ）の高さにあるハイウェイに架けられる橋などの道路防壁のためにその直径が一定値以下に制限される。
【発明の開示】
【発明が解決しようとする課題】
【０００６】
本発明は、上記従来技術の課題を解決することを目的の一つとする。
【課題を解決するための手段】
【０００７】
一態様では、本発明は、塔により定められた長手方向軸にそった長さを持つ塔を建設する方法を提供する。この方法は、３本の第１脚を含む第１の塔セクションを組み立てることを含む。それぞれの第１脚は、第１脚の長さにそった長手方向軸から分岐する。第２の塔セクションが組み立てられる。第２の塔セクションは、３本の第２脚を備え、それぞれ長手方向軸と実質的に並行に延び、少なくとも一部は第２の塔セクションを通る通路を形成する。第２の塔セクションは、第１の塔セクションに結合される。
【０００８】
他の態様では、塔が提供される。塔は、塔の長さに沿って定められた長手方向軸を含む。第１の塔セクションは、３本の第１脚を含む。それぞれの第１脚は、第１脚の長さにそった長手方向軸から分岐する。少なくとも１つの支持部材が、隣接する第１脚を結合する。第２の塔セクションは、第１の塔セクションに結合される。第２の塔セクションは、３本の第２脚を含む。それぞれの第２脚は、長手方向軸に実質的に並行に延びる。通路は、第２の塔セクションを通して定められる。
【０００９】
他の態様では、本発明は、風力タービンアセンブリを提供する。風力タービンアセンブリは、塔によって定められる長手方向軸にそった長さを持つ塔を含む。下側の塔セクションは、３本の脚を含む。それぞれの脚は、下側の塔セクションの長さにそった長手方向軸から分岐する。少なくとも１つの支持部材が、隣接する脚を結合する。上側の塔セクションは、下側の塔セクションに結合される。上側の塔セクションは、３本の脚を含む。それぞれの脚は、長手方向軸に実質的に並行に延びる。通路は、上側塔セクションを通じて定められ、少なくとも一部は塔の長さに沿って延びる。トランジションピースは、上側塔セクションに結合される。風力タービンアセンブリは、さらに、上側塔セクションに据え付けられた発電機も含む。回転式ハブは、発電機に動作可能なように結合され、複数の動翼がそのハブに据え付けられる。
【発明を実施するための最良の形態】
【００１０】
本発明は、図１に示されているような、風力タービンアセンブリ１２を支持するための塔１０、および塔１０を建設するための方法を提供する。塔１０は、図３に示されているように、少なくとも一部は地面内に埋設されている塔１０の土台部分１６に基礎１４を有する。風力発電機１８は、塔１０の上に据え付けられる。一実施形態では、風力発電機１８は、発電機（図１には示されていない）を収納したナセル２０を備える。ナセル２０は、塔１０の上部２２に据え付けられる。風力発電機１８は、さらに、回転ハブ２８に取り付けられた複数の動翼２６を備えるロータ２４も備える。図１に例示されている風力発電機１８は、３つの動翼２６を含むが、本発明に関連して利用される動翼２６の数に具体的制限はない。
【００１１】
さらに図２を参照すると、塔１０は、塔１０の長手に沿って長手方向軸３０を定める。一実施形態では、塔１０は、少なくとも１つの第１または下側の塔セクション４０を含み、これは、３つの第１脚４２を含む。この実施形態では、第１脚４２は実質的にまっすぐである。他の実施形態では、それぞれの第１脚４２の少なくとも一部は、アーチ形である。第１脚４２は、鋼鉄材料で作られ、直径が約５フィート以下の、圧延管を形成することなどによる実質的に円筒型の形状に形成される。それとは別に、第１脚４２は、例えば冷間曲げまたは熱間曲げプロセスを使用して折り畳まれ、多角形断面領域を有する管を形成するため溶接でつなぎ合わされた複数の鋼板から作られる。多角形管は、３面から２４面までなどの適当な面数を持つことができる。他の実施形態では、第１脚４２は、限定することなく、適当な金属、合金、および／または複合材料を含む、好適な材料から作られる。
【００１２】
従来の塔とは異なり、一実施形態では、塔１０は、それぞれ３本の脚を持つ複数の塔セクションで構成される。３本脚構造だと、塔セクションの脚および／またはコンポーネントを作るために使用する材料が少なくて済み、および／または材料も軽量である。そのため、それぞれの脚の寸法および／または重量だけでなく、塔１０の全体的寸法および／または重量が低減される。特定の一実施形態では、塔１０の重量は、同じ高さの従来のモノポール塔と比べて少なくとも約２５％軽量である。他の実施形態では、塔１０のそれぞれの塔セクションは、２脚または４脚もしくはそれ以上の本数の脚などの好適な本数の脚を備える。
【００１３】
それぞれの第１脚４２は、第１脚４２の長さに沿って長手方向軸３０から分岐して、テーパー付きの第１の塔セクション４０を形成する。その結果、第１脚４２の上側部分４４から長手方向軸３０までの水平方向距離は、第１脚４２の下側部分４６から長手方向軸３０までの水平方向距離よりも短い。テーパー付きの第１の塔セクション４０および／または分岐する第１脚４２により、第１脚４２を通じて基礎１４に加えられる風力タービンアセンブリ１２の荷重を簡単に減らせる。一実施形態では、少なくとも１つの梁５０などの少なくとも１つの構造支持部材により、図１に示されているように、隣接する第１脚４２を結合する。梁５０は、好適な材料で作られ、第１脚４２に関して説明されているような好適な断面形状を持つ。一実施形態では、タブ５２を第１脚４２に溶接することなどにより、少なくとも１つのタブ５２が第１脚４２に結合される。梁５０は、梁５０内に形成される対応するアパーチャ５４と嵌る形で係合し、梁５０はそれぞれの隣接する第１脚４２に結合される。
【００１４】
一実施形態では、第１の塔セクション４０は、図１に示されているように、５６、５８、および６０などの複数の第１の塔サブセクションを含む。図１および２をさらに参照すると、第１の塔サブセクション５６、５８、６０は、連結され、隣接する第１の塔サブセクションのそれぞれの第１脚４２は直線的に並ぶように整列される。一実施形態では、外部フランジ６２は、第１のセクションの第１のサブセクション５６のそれぞれの第１脚４２を第１の塔の第２のサブセクション５８の対応する第１脚４２に結合する。特定の一実施形態では、フランジ６２は、第１脚４２の外面に対応するアーチ形状を有する。第１の塔の第２のサブセクション５８の上側部分は、第１の塔の第１のサブセクション５６の底部分に結合される。第１の塔の第２のサブセクション５８は、３本の第１脚４２を含む。それぞれの第１脚４２は、第１の塔の第１のサブセクション５６の対応する第１脚４２と直線的に並ぶように整列される。他の実施形態では、第１脚４２の外部または内部にある好適な連結器を使用して、第１の塔のサブセクション５６、５８、６０を結合することができる。
【００１５】
図１および２に示されているように、塔１０は、少なくとも１つの第２または上側のセクション７０を含み、これは、３本の第２脚７２を含む。第２の塔セクション７０は、第１の塔セクション４０に結合される。図１および２に示されているように、風力タービンアセンブリ１２は、複数の結合された第１の塔サブセクション５６、５８、６０、および第１の塔の第１のサブセクション５６に結合された複数の結合された第２の塔サブセクション７５、７６、７７、７８を含む。
【００１６】
一実施形態では、第２脚７２は、鋼鉄材料で作られており、直径が約１．５２４メートル（約５フィート）以下の実質的に円筒型の形状に形成される。それとは別に、第２脚７２は、例えば冷間曲げまたは熱間曲げプロセスを使用して折り畳まれ、多角形断面領域を有する管を形成するため溶接でつなぎ合わされた複数の鋼板から作られる。多角形管は、３面から２４面までなどの適当な面数を持つことができる。他の実施形態では、第２脚７２は、限定することなく、適当な金属、合金、および／または複合材料を含む、好適な材料から作られる。
【００１７】
それぞれの第２脚７２は、第２脚７２の長さにそった長手方向軸３０と実質的に並行であり、これにより第２の塔セクション７０と動翼２６との間に十分なクリアランスが得られ、動翼２６は、塔１０と望ましくない接触を起こすことなく自由に回転することができる。その結果、第２脚７２の上側部分８２から長手方向軸３０までの水平方向距離は、第２脚７２の下側部分８４から長手方向軸３０までの水平方向距離に実質的に等しい。一実施形態では、剪断パネル８６は、図３〜５に示されているように、隣接する第２脚７２の間に位置し、隣接する第２脚７２を結合し、上側塔セクション７０と塔１０のねじれ剛性を高める。剪断パネル８６は、ボルト、ネジ、および／または少なくとも１つの溶接部などの好適なコネクタを使用して、隣接する第２脚７２に接続される。特定の一実施形態では、剪断パネル８６の厚さは、約９．５２５ｍｍ（約３／８インチ）である。さらに、剪断パネル８６は、約１．５２４メートル（約５フィート）の長手方向軸３０に実質的に垂直な方向に延びる幅、および約６．０９６メートル（約２０フィート）の長手方向軸３０に沿って延びる長さを有する。他の実施形態では、少なくとも１つの支持バー（図に示されていない）が概ね水平方向に配置され、剪断パネル８６に剛性を与える。
【００１８】
図３および５を参照すると、一実施形態では、それぞれの剪断パネル８６は、第２の塔セクション７０に沿って少なくとも部分的に延びている。複数の剪断パネル８６は、隣接する第２脚７２を連結し、少なくとも部分的に、概ね断面領域が三角形である通路８８を形成する。通路８８は、風力タービンアセンブリ１２および／または風力発電機１８を動作可能なようにユーティリティグリッドに結合し、例えば、電力をユーティリティグリッドに供給する電線および／または風力タービンアセンブリコンポーネントを収納する。この実施形態では、通路８８は、剪断パネル８６により実質的に囲われており、収納されている電線および／または風力タービンアセンブリコンポーネントを環境条件から保護しやすくなっている。さらに、通路８８により、塔１０の長さの少なくとも一部に沿って、塔１０の中心部を通り、風力タービンアセンブリ１２にアクセスできるため、塔１０および／または風力タービンアセンブリ１２の保守および／または修理を簡単に行える。一実施形態では、アクセス室９０は、基礎１４に位置し、剪断パネル８６に結合され、これにより、アクセス室９０を通して通路８８にアクセスできるため、塔１０および／または風力タービンアセンブリ１２の保守および／または修理をさらに容易に行える。
【００１９】
他の実施形態では、梁５０に類似または同一の少なくとも１つの梁９２などの少なくとも１つの構造支持部材により、隣接する第２脚７２を結合する。図１および２に示されているように、複数の梁９２および結合された第２脚７２は、通路８８を少なくとも部分的に形成する。梁９２は、好適な材料で作られ、第２脚７２に関して説明されているような好適な断面形状を持つ。一実施形態では、タブ９４を第２脚７２に溶接することなどにより、少なくとも１つのタブ９４が第２脚７２に結合される。タブ９４は、梁９２内に形成される対応するアパーチャ９６と嵌る形で係合し、梁９２は第２脚７２に結合される。
【００２０】
一実施形態では、第２の塔セクション７０は、図１および２に示されているように、７５、７６、７７、７８などの複数の第２の塔サブセクションを含む。第２の塔サブセクション７５、７６、７７、７８は、連結され、結合された第２の塔セクション７５、７６、７７、７８のそれぞれの第２脚７２は直線的に並ぶように整列される。例えば、第２の塔の第２のサブセクション７６の底部分は、第２の塔の第１のサブセクション７５の上部に据え付けられ、第２の塔の第２のサブセクション７６のそれぞれの第２脚７２は、第２の塔の第１のサブセクション７５の対応する第２脚７２と直線的に並ぶように整列される。一実施形態では、外部フランジ９７は、第２の塔の第１のサブセクション７５のそれぞれの第２脚７２を第２の塔の第２のサブセクション７６の対応する第２脚７２に結合する。他の実施形態では、第２の塔のサブセクション７５、７６、７７、および／または７８の外部または内部にある好適な連結器が、第２の塔のサブセクションを連結する。
【００２１】
トランジションピース９８は、図２に示されているように、第２の塔のサブセクション７８の上部に据え付けられる。トランジションピース９８は、風力タービンアセンブリ１２を塔１０に結合しやすくする。他の一実施形態では、トランジションピース９８は、図３および４に示されているように、塔１０の上部２２の第２脚７２の周りに位置するリング１００を含む。
【００２２】
一実施形態では、塔１０を建設する方法は、３本の第１脚４２を含む少なくとも１つの第１または下側の塔セクション４０を組み立てることを含む。それぞれの第１脚４２は、第１脚４２の長さに沿って、例えば第１脚４２の第１の端から第２の端まで、長手方向軸３０から分岐するように構成される。それぞれの第１脚４２は、鋼鉄材料で作られ、圧延管を形成することなどにより実質的に円筒型の形状に形成される。それとは別に、それぞれの第１脚は、折り畳まれた板管で作られる。折り畳まれた板管は、２枚の折り畳まれた板などの少なくとも１枚の折り畳まれた板から作られ、これらの板は、折り畳むか、または曲げるかして、断面領域が多角形である管を形成する。冷間曲げまたは熱間曲げなどの適当な曲げプロセスを使用して板を曲げる。少なくとも１枚の板を曲げるのに、当業で知られている好適な折り畳みまたは曲げプロセスを使用できる。曲げられた板は、突き合わせ溶接またはグルーブ溶接などの適当な溶接を使用し長手方向に溶接してつなぎ合わせ折り畳み板管を形成する。
【００２３】
一実施形態では、少なくとも１つの梁５０を隣接する第１脚４２の間に結合し、第１の塔セクション４０を構造的に支持する。例えば、図２に示されているように、１つの梁５０を隣接する第１脚４２の間に結合するか、または図１に示されているように、２つの梁５０を隣接する第１脚４２の間に結合することができる。他の実施形態では、適当な数の梁５０を隣接する第１脚４２の間に結合し、第１の塔セクション４０を十分に支持する。特定の一実施形態では、それぞれの梁５０は、梁５０のそれぞれの対向端のところにアパーチャ５４を形成する。タブ５２は、アパーチャ５４と嵌る形で係合し、隣接する第１脚４２を結合する。他の一実施形態では、複数のタブ５２が、第１脚４２上に形成されるか、または一体化される。
【００２４】
一実施形態では、塔１０は、連結された複数の第１の塔サブセクション５６、５８、６０を含み、隣接する第１の塔サブセクション５６、５８、６０のそれぞれの第１脚４２は直線的に並ぶように整列される。一実施形態では、フランジ６２は、第１の塔の第１のサブセクション５６のそれぞれの第１脚４２を第１の塔の第２のサブセクション５８の対応する第１脚４２に結合する。他の実施形態では、好適な連結器を使用して、第１の塔サブセクションを結合することができる。
【００２５】
３本の第２脚７２を備える少なくとも１つの第２または上側の塔セクション７０を組み立てる。それぞれの第２脚７２は、長手方向軸３０に実質的に並行に延びるように構成される。一実施形態では、それぞれの第２脚７２は、鋼鉄材料で作られ、圧延管を形成することなどにより実質的に円筒型の形状に形成される。それとは別に、それぞれの第２脚７２は、第１脚４２に関して上で説明されているように、折り畳まれた板管で作られる。第１の塔セクション４０の組み立て前、組み立て中、または組み立て後に第２の塔セクション７０を組み立てられることは、当業者には明らかであり、また本明細書に記載されている教示がその指針となる。
【００２６】
一実施形態では、剪断パネル８６は、図３〜５に示されているように、隣接する第２脚７２の間で接続され、第２の塔セクション７０と塔１０にねじれ剛性を与える。図４に示されているように、剪断パネル８６は、少なくとも部分的に、第２の塔セクション７０の長さに沿って延びる通路８８を形成する。他の一実施形態では、少なくとも１つの梁９２を隣接する第２脚７２の間に結合し、第２の塔セクション７０を構造的に支持する。例えば、図２に示されているように、１つの梁９２を隣接する第２脚７２の間に結合するか、または図１に示されているように、２つの梁９２を隣接する第２脚７２の間に結合することができる。
【００２７】
図１および２をさらに参照すると、一実施形態では、塔１０は、隣接する第２の塔サブセクションのそれぞれの第２脚７２が直線的に整列されるように連結された複数の第２の塔サブセクションを含む。例えば、第２の塔の第２のサブセクション７６の底部分は、第２の塔の第１のサブセクション７５の上部に据え付けられ、第２の塔の第２のサブセクション７６のそれぞれの第２脚７２は、第２の塔の第１のサブセクション７５の対応する第２脚７２と直線的に並ぶように整列される。一実施形態では、フランジ９７は、第２の塔の第１のサブセクション７５のそれぞれの第２脚７２を第２の塔の第２のサブセクション７６の対応する第２脚７２に結合する。他の実施形態では、好適な連結器を使用して、隣接する第２の塔サブセクションを結合する。
【００２８】
次いで第２の塔セクション７０は、第１の塔セクション４０に結合される。一実施形態では、フランジ６２および／または９７は、それぞれの第１脚４２を対応する第２脚７２に結合し、第１脚４２を第２脚７２に結合する。他の実施形態では、好適な連結器により、第１の塔セクション４０を第２の塔セクション７０に結合する。さらに、第１の塔サブセクションおよび／または第２の塔サブセクションを好適な連結器で連結できる。
【００２９】
上述の塔および塔を建設する方法により、風力タービンアセンブリの最適な建設が行いやすくなる。より具体的には、塔および塔を建設する方法では、面幅、脚直径、脚材料厚さおよび／または梁サイズを最適化するためのパラメータを用意している。このような最適化により、従来の塔の重量に比べて少なくとも約２５％少ない重量を有する塔が得られる。
【００３０】
塔および塔を建設する方法の例示的な実施形態については、上で詳しく説明した。塔および方法は、本明細書で説明されている特定の実施形態に限定されないが、むしろ、塔の要素またはコンポーネントおよび／または方法工程は、本明細書で説明されている他のものとは独立に、また別々に使用することができる。さらに、説明されている塔要素またはコンポーネントおよび／または方法工程は、他の塔および／または塔を建設する方法において定義されるか、または他の塔および／または方法と組み合わせて使用することもでき、本明細書で説明されている実施のみには限定されない。
【００３１】
本発明は、さまざまな特定の実施形態に関して説明されているが、当業者であれば、特許請求の範囲の精神および範囲内で修正とともに実施できることを理解するであろう。
【図面の簡単な説明】
【００３２】
【図１】本発明の一実施形態による、風力タービンアセンブリの斜視図である。
【図２】本発明の一実施形態による、風力タービンアセンブリ塔の側面図である。
【図３】本発明の一実施形態による、風力タービンアセンブリ塔の斜視図である。
【図４】図３に示されている風力タービンアセンブリ塔の一部分の斜視図である。
【図５】図３に示されている風力タービンアセンブリ塔の一部分の斜視図である。
【符号の説明】
【００３３】
１０  塔
１２  風力タービンアセンブリ
１４  基礎
１６  土台部分
１８  風力発電機
２０  ナセル
２２  上部
２４  ロータ
２６  動翼
２８  回転ハブ
３０  長手方向軸
４０  第１の塔セクション
４２  第１脚
４４  上側部分
４６  下側部分
５０  梁
５２  タブ
５４  アパーチャ
５６  第１の塔サブセクション
５８  第１の塔の第２のサブセクション
６０  第１の塔サブセクション
６２  フランジ
７０  第２の塔セクション
７２  第２脚
７５  第２の塔の第１のサブセクション
７６  第２の塔の第２のサブセクション
７７  第２の塔の第１のサブセクション
７８  第２の塔サブセクション
８２  上側部分
８４  下側部分
８６  剪断パネル
８８  通路
９０  アクセス室
９２  梁
９４  タブ
９６  アパーチャ
９７  フランジ
９８  トランジションピース
１００  リング
【図１】
2007107515.tif 000003
【図２】
2007107515.tif 000004
【図３】
2007107515.tif 000005
【図４】
2007107515.tif 000006
【図５】
2007107515.tif 000007